(57)【要約】      （修正有）【課題】トンネル床版で上下に分離配置された消火栓設備の点検を効率良く行うことを可能とする。【解決手段】消火栓設備１６は、ノズル付きのホースが収納されたホース収納部２６が床版１８の上側の監視員通路１４に配置され、ノズル付きのホースに対する消火用水に供給を制御するバルブ類収納装置２８が床版１８の下側の管理用通路２０に設置される。ホース収納部２６側に電話ジャック６０が配置され、バルブ類収納装置２８側に電話ジャック６２が配置される。消火栓設備１６を点検する場合、電話ジャック６０に接続された携帯電話機、電話ジャック６２に接続された携帯電話機及び防災受信盤３２のセンター側電話機５２の間で、ＶｏＩＰ電話により２者間通話又は３者間以上の通話を行い、上下に分離配置された消火栓設備１６の点検作業を、各々の点検員が電話連絡をとりながら行う。【選択図】図２
2018017066.tif 000002
【特許請求の範囲】
【請求項１】
ノズル付きのホースが収納されたホース収納部と、前記ノズル付きのホースに対する消火用水に供給を制御するバルブ類収納部とが分離された消火栓設備と、
前記ホース収納部側に配置され、携帯電話機を着脱可能な第１電話ジャックと、
前記バルブ類収納部側に配置され、携帯電話機を着脱可能な第２電話ジャックと、
監視センターの防災受信盤に配置されたセンター側電話機と
前記第１電話ジャックに接続された前記携帯電話機、前記第２電話ジャックに接続された前記携帯電話機及び前記防災受信盤のセンター側電話機の間で２者間通話又は３者間以上の通話を行わせる非常電話設備と、
が設けられたことを特徴とするトンネル内消火栓設備の点検システム。
【請求項２】
請求項１記載のトンネル内消火栓設備の点検システムに於いて、
前記非常電話設備を、前記第１電話ジャックを接続したゲートウェイ装置、前記第２電話ジャックを接続したゲートウェイ装置、前記センター側電話機を接続したゲートウェイ装置、及び電話番号管理サーバを、電話回線を介して相互に接続したＶｏＩＰ電話設備としたことを特徴とするトンネル内消火栓設備の点検システム。
【請求項３】
請求項１記載のトンネル内消火栓設備の点検システムに於いて、
前記第１電話ジャック、前記第２電話ジャックのいずれかに前記携帯電話機が接続されたことを、前記防災受信盤にて報知することを特徴とするトンネル内消火栓設備の点検システム。
【請求項４】
請求項３記載のトンネル内消火栓設備の点検システムに於いて、
前記消火栓設備はトンネル長手方向に沿って所定間隔で複数設置されており、前記複数の消火栓設備における前記ホース収納部側の前記第１電話ジャック又は前記バルブ類収納部側の前記第２電話ジャックのいずれかへの前記携帯電話機の接続を前記センター側電話機と接続するゲートウェイ装置が監視し、前記監視結果を前記ホース収納部または及び前記バルブ類収納部にて通知することを特徴とするトンネル内消火栓設備の点検システム。
【請求項５】
請求項１記載のトンネル内消火栓設備の点検システムに於いて、
前記非常電話設備を、前記第１電話ジャック、前記第２電話ジャック、前記センター側電話機を接続したゲートウェイ装置、及び電話番号管理サーバを、電話回線を介して相互に接続したＶｏＩＰ電話設備とし、
前記第１電話ジャック又は前記第２電話ジャックに接続される前記携帯電話機にゲートウェイ装置の機能が設けられたことを特徴とするトンネル内消火栓設備の点検システム。
【発明の詳細な説明】
【技術分野】
【０００１】
本発明は、トンネル内で上下に分離配置された消火栓設備の点検を行うトンネル内消火栓設備の点検システムに関する。
【背景技術】
【０００２】
従来、高速道路や自動車専用道路などのトンネル内に設置する消火栓装置は、開閉自在な消火栓扉を備えた筐体の消火栓収納部に、先端にノズルを装着したホースとバルブ類が収納され、また、開閉自在な消火器扉を備えた消火器収納部に例えば２本の消火器が収納されている。
【０００３】
このような消火栓装置は、トンネル内に設けた監視員通路に面した壁面に沿って例えば５０メートル間隔で設置されている。監視員通路は路面に対し１メートル程度高くした壁面通路として設けられ、トンネル内の車両通行を妨げることなく且つ安全にトンネル内に設置している消火栓装置を含む各種の機器の点検を行うことを可能としている。
【０００４】
火災を伴う車両事故が発生した場合には、事故車両の運転者等の利用者は、消火栓装置の消火栓扉を開いてノズル付きのホースを引き出し、消火栓弁開閉レバーを操作することで消火ポンプ設備を起動して放水することにより消火作業を行うことができる。
【０００５】
また、トンネル消火栓装置は、半年又は１年に一度、定期点検が実施される。消火栓装置の点検作業は、放水圧力を自動調整する機能が問題なく働き、所定の消火性能を満足しているかどうか確認するため、トンネル内の通行を規制した状態でノズル付きホースを引き出して実際に放水する放水点検を行い、ホースに異常がないか確認すると共に、放水圧力が基準を満たしているかを確認する放水点検を行う。点検終了後には、ホース内の水抜きをしながらホースを巻き上げて装置内に収納している。
【先行技術文献】
【特許文献】
【０００６】
【特許文献１】特開２００８−０５５０２４号公報
【特許文献２】特開２００９−２８５１２６号公報
【発明の概要】
【発明が解決しようとする課題】
【０００７】
ところで、シールド工法により構築されたトンネルは円筒形のトンネル壁面により覆われ、床版により仕切られることで道路が設けられており、消火栓装置をホース収納部とバルブ類収納部に分離し、ホース収納部を監視員通路側に設置すると共にバルブ収納部を床版下側の管理用通路に設置した分離構造のものが提案されている。
【０００８】
しかしながら、トンネル内で上下に分離配置された消火栓設備を点検する場合には、監視員通路側と管理用通路側にそれぞれ点検員がつき、両者の間で連絡を取り合いながら点検作業を進める必要があるが、監視員通路側と管理用通路側の間は床版で仕切られて互いに連絡の取りようがなく、例えば、トランシーバ等を使用しても、床版により電波が遮られて通信接続することができない。
【０００９】
また、点検の際には、防災受信盤が設置された監視センター側と連絡を取りながら点検作業を進める必要があり、非常電話用の電話ジャックは監視員通路側に設置されたホース収納部側にしか設けられておらず、管理用通路側の電話ジャックは消火栓装置とは関係ない場所に設置されており、監視センターと連絡を取りながら点検作業を行うにも支障を来たす問題がある。
【００１０】
本発明は、トンネル内で上下に分離配置された消火栓設備の点検を効率良く行うことを可能とするトンネル内消火栓設備の点検システムを提供することを目的とする。
【課題を解決するための手段】
【００１１】
（トンネル内消火栓設備の点検システム）
本発明は、トンネル内消火栓設備の点検システムに於いて、
ノズル付きのホースが収納されたホース収納部と、ノズル付きのホースに対する消火用水の供給を制御するバルブ類収納部とが分離された消火栓設備と、
ホース収納部側に配置され、携帯電話機を着脱可能な第１電話ジャックと、
バルブ類収納部側に配置され、携帯電話機を着脱可能な第２電話ジャックと、
監視センターの防災受信盤に配置されたセンター側電話機と
第１電話ジャックに接続された携帯電話機、第２電話ジャックに接続された携帯電話機及び防災受信盤のセンター側電話機の間で２者間通話又は３者間以上の通話を行わせる非常電話設備と、
が設けられたことを特徴とする。
【００１２】
（ＶｏＩＰ電話設備）
非常電話設備を、第１電話ジャックを接続したゲートウェイ装置、第２電話ジャックを接続したゲートウェイ装置、センター側電話機を接続したゲートウェイ装置、及び電話番号管理サーバを、電話回線を介して相互に接続したＶｏＩＰ電話設備とする。
【００１３】
（接続の表示）
第１電話ジャック、第２電話ジャックのいずれかに携帯電話機が接続されたことを、防災受信盤にて報知する接続の表示とする。
【００１４】
（消火栓設備における接続の表示）
消火栓設備はトンネル長手方向に沿って所定間隔で複数設置されており、複数の消火栓設備におけるホース収納部側の第１電話ジャック又はバルブ類収納部側の第２電話ジャックのいずれかへの携帯電話機の接続を、センター側電話機と接続するゲートウェイ装置が監視し、監視結果をホース収納部または及びバルブ類収納部にて通知する消火栓設備における接続の表示とする。
【００１５】
（ゲートウェイ機能付きの携帯電話機）
非常電話設備を、第１電話ジャック、第２電話ジャック、センター側電話機を接続したゲートウェイ装置、及び電話番号管理サーバを、電話回線を介して相互に接続したＶｏＩＰ電話設備とし、
第１電話ジャック又は第２電話ジャックに接続される携帯電話機にゲートウェイ装置の機能が設けられる。
【発明の効果】
【００１６】
（基本的な効果）
本発明は、トンネル内消火栓設備の点検システムに於いて、ノズル付きのホースが収納されたホース収納部と、ノズル付きのホースに対する消火用水に供給を制御するバルブ類収納部とが分離された消火栓設備と、ホース収納部側に配置され、携帯電話機を着脱可能な第１電話ジャックと、バルブ類収納部側に配置され、携帯電話機を着脱可能な第２電話ジャックと、監視センターの防災受信盤に配置されたセンター側電話機と、第１電話ジャックに接続された携帯電話機、第２電話ジャックに接続された携帯電話機及び防災受信盤のセンター側電話機の間で２者間通話又は３者間以上の通話を行わせる非常電話設備とが設けられたため、トンネル内で上下に分離配置された消火栓設備を点検する場合、分離配置された設備部分に設けられている第１及び第２電話ジャックの各々に携帯電話機を接続して呼出し操作を行うことで、上下に分離配置された消火栓設備の間の通話接続が確立され、相互に連絡を取りながら所定の手順に従って効率良く点検作業を進めることを可能とする。
【００１７】
また、上下に分離された消火栓設備の点検場所の各々と監視センターの間については、上下に分かれた点検場所に第１及び第２電話ジャックの各々に接続している携帯電話機と監視センターの防災受信盤に設けられているセンター側電話機との間の３者通話が確立されることで、上下に分離された消火栓設備の点検場所と監視センター側との間で連絡を取り合いながら、適切に消火栓設備の点検作業を進めることを可能とする。
【００１８】
また、複数の消火栓設備が配置された場合において、各消火栓設備間においても通話可能となるので、消火栓設備間で連携した作業を行う際の助けとなる。
【００１９】
（ＶｏＩＰ電話設備による効果）
また、非常電話設備を、第１電話ジャックを接続したゲートウェイ装置、第２電話ジャックを接続したゲートウェイ装置、センター側電話機を接続したゲートウェイ装置、及び電話番号管理サーバを、電話回線を介して相互に接続したＶｏＩＰ電話設備としたため、上下２箇所に分かれた点検場所及び監視センターとの間の２者間通話または３者間以上の通話は、センター側電話機又は携帯電話機の呼出し操作に基づく電話番号を電話番号管理サーバに対する問合せで相手側のＩＰアドレスを取得し、相手側のゲートウェイ装置に呼出し信号を送信して相手先の電話機を呼出して通話接続し、通話中は、電話機からの音声信号をゲートウェイ装置で圧縮符号化後にＩＰパケットに変換して電話回線に送信し、これを受け取り側のゲートウェイ装置で受信して音声信号に戻して相手型電話機から出力させることで、通話連絡を十分な品質で行うことが可能となる。
【００２０】
また、音声信号をＩＰパケットに変換してデジタル伝送していることから、例えば、数キロメートルを超えるような長いトンネルであっても、減衰量の大きいアナログ音声伝送に比較して十分な通話品質を維持した明瞭な通話を可能とする。
【００２１】
（接続の表示による効果）
また、第１電話ジャック、第２電話ジャックのいずれかに携帯電話機が接続されたことを、防災受信盤にて報知する接続の表示とするようにしたため、消火栓設備側での携帯電話機のジャック接続を、防災受信盤側での接続の表示により簡単に確認可能とする。
【００２２】
（消火栓設備における接続の表示による効果）
消火栓設備はトンネル長手方向に沿って所定間隔で複数設置されており、複数の消火栓設備におけるホース収納部側の第１電話ジャック又はバルブ類収納部側の第２電話ジャックのいずれかへの携帯電話機の接続を、センター側電話機と接続するゲートウェイ装置が監視し、監視結果をホース収納部または及びバルブ類収納部にて通知する消火栓設備における接続の表示とするようにしたため、消火栓設備における携帯電話機のジャック接続が正常に行われているか否かを接続表示の有無により簡単に確認可能とする。
【００２３】
（ゲートウェイ機能付きの携帯電話機による効果）
また、非常電話設備を、第１電話ジャック、第２電話ジャック、センター側電話機を接続したゲートウェイ装置、及び電話番号管理サーバを、電話回線を介して相互に接続したＶｏＩＰ電話設備とし、第１電話ジャック又は第２電話ジャックに接続される携帯電話機にゲートウェイ装置の機能が設けられたため、第１及び第２電話ジャックに接続される携帯電話機にゲートウェイ装置の機能が設けられたことで、分離配置された消火栓装置側の第１及び第２電話ジャックに対応してゲートウェイ装置を設ける必要がなくなり、ＶｏＩＰ電話設備の構成を簡単にして設備コストを低減可能とする。
【図面の簡単な説明】
【００２４】
【図１】トンネル内に設置された消火栓設備を示した説明図
【図２】トンネル防災設備の概要を示した説明図
【図３】消火栓設備に対する点検システムの概要を示した説明図
【図４】消火設備側の電話ジャックに接続して使用される携帯電話機を示した説明図
【図５】ゲートウェイ機能を備えた携帯電話機が使用される消火栓設備に対する点検システムの概要を示した説明図
【発明を実施するための形態】
【００２５】
［トンネル内消火設備の概要］
図１は自動車専用道路のトンネル内に設置された消火栓設備を示した説明図である。図１に示すように、シールド工法により構築されたトンネル１０内は円筒形のトンネル壁面１２により覆われ、床版１８により仕切られることで道路１５が設けられており、この例にあっては、道路１５は１方向２車線としている。
【００２６】
床版１８で仕切られた道路１５の左側のトンネル壁面１２に沿って監視員通路１４が設けられ、監視員通路１４の下側の内部空間はダクト２２として利用され、電線管等が敷設される。
【００２７】
道路１５が形成された床版１８の下側はトンネル横方向に複数の区画に仕切られており、例えば、監視員通路１４の下に位置する区画は、管理用通路２０として使用され、また、管理用通路２０はトンネル内での火災発生時には、緊急避難通路として使用される。管理用通路２０には給水本管２４が敷設されている。
【００２８】
消火栓設備１６は、ホース収納部２６とバルブ類収納装置２８に分離されている。ホース収納部２６は、監視員通路１４の路面上に取付口が開口された消火栓埋込部が設けられ、そこに配置されている。バルブ類収納装置２８は、ホース収納部２６の下側となる管理用通路２０に配置され、給水本管２４から分岐した分岐管が引き込まれ、また、ホース収納部２６に消火用水を供給する給水配管が立ち上げられている。
【００２９】
トンネル内でホース収納部２６とバルブ類収納装置２８が分離配置された消火栓設備１６は、トンネル長手方向の５０メートルおきに設置されている。
【００３０】
消火栓設備１６のホース収納部２６は、監視員通路１４上に、例えば消火栓扉を備えた保守扉が路面板として配置されており、道路１５側又は監視員通路１４側から通路上の消火栓扉を開き、内部に収納しているノズル付きのホースを引き出して消火作業を行うことが可能である。
【００３１】
［トンネル防災設備の概要］
図２はトンネル防災設備の概要を示した説明図である。図２に示すように、トンネル１０の内部には、トンネル長手方向に、ホース収納部２６とバルブ類収納装置２８が分離配置された消火栓設備１６が５０メートル間隔で設置されている。
【００３２】
ホース収納部２６にはノズル付きホースが収納されており、監視員通路の路面側に設けられた消火栓扉を開いてノズルを取り出すことでホースを引き出すことができる。また、開放した消火栓扉の内部には起動押釦が設けられており、起動押釦を操作するとバルブ類収納装置２０側に配置されている遠隔消火栓弁の開制御が行われ、給水本管からの消火用水がホースに供給され、ノズルからの放水で消火作業が可能となる。
【００３３】
また、ホース収納部２６側には通報装置パネルが配置されており、赤色表示灯、発信機及び応答ランプが設けられ、赤色表示灯は常時点灯し、消火栓設備１６の設置場所が遠方から分かるようにしている。火災時には、発信機を押して押し釦スイッチをオンすると、発信信号が監視室の火災受信機に送信されて火災警報が出され、これに伴い応答信号が火災受信機から送られて、応答ランプが点灯される。
【００３４】
バルブ類収納装置２８には、図１の給水本管２４から分岐した分岐管が接続され、続いて、放水制御機構として、電動弁を用いた遠隔消火栓弁、自動調圧弁、自動排水弁、メンテナンス装置が順次接続され、メンテナンス装置２次側から取り出された配管が監視員通路１４の内部空間に立ち上げられ、ホース収納部２６に収納されたホースの付け根に連結されている。
【００３５】
また、トンネル１０内には、消火栓設備１６以外の非常用設備として、火災による炎を検知するため火災検知器が２５メートル又は５０メートル間隔で設けられ、火災通報のために手動通報装置や非常電話が設けられ、火災の消火や延焼防止のために消火栓装置が設けられ、更にトンネル躯体やダクト内を火災から防護するために水噴霧ヘッドから消火用水を散水させる水噴霧装置などが設置されるが、図示は省略されている。
【００３６】
一方、監視センター等には防災受信盤３２が設置されており、防災受信盤３２からはトンネル１０に対し伝送路３０が引き出され、トンネル１０内に設置された消火栓設備１６の電装機器やそれ以外の非常設備の機器が接続されている。伝送路３０はＦＴＴＨ等の光ファイバー伝送路や同軸伝送路が使用され、例えばＩＰパケット等を用いたデジタル伝送が行われる。
【００３７】
また、防災受信盤３２に対しては、消火ポンプ設備３４、ダクト用の冷却ポンプ設備３５、換気設備３６、警報表示板設備３８、ラジオ再放送設備４０、テレビ監視設備４２、照明設備４４及びＩＧ子局設備４５等を設けており、ＩＧ子局設備４５をデータ伝送回線で接続する点を除き、それ以外の設備はＰ型信号回線により防災受信盤３２に個別に接続されている。
【００３８】
ここで、換気設備３６は、トンネル内の天井側に設置されているジェットファンの運転による高い吹き出し風速によってトンネル内の空気にエネルギーを与えて、トンネル長手方向に喚起の流れを起こす設備である。
【００３９】
警報表示板設備３８は、トンネル内の利用者に対して、トンネル内の異常を、電光表示板に表示して知らせる設備である。ラジオ再放送設備４０は、トンネル内で運転者等が道路管理者からの情報を受信できるようにするための設備である。テレビ監視設備４２は、火災の規模や位置を確認したり、水噴霧設備の作動、避難誘導を行う場合のトンネル内の状況を把握するための設備である。
【００４０】
照明設備４４はトンネル内の照明機器を駆動して管理する設備である。更に、ＩＧ子局設備４５は、防災受信盤３２と外部に設けた上位設備である遠方監視制御設備４８とをネットワーク４６を経由して結ぶ通信設備である。
【００４１】
［消火栓設備の点検システム］
図３は消火栓設備に対する点検システムの概要を示した説明図、図４は消火設備側の電話ジャックに接続して使用される携帯電話機を示した説明図である。
【００４２】
図３に示すように、トンネル１０内に設置された消火栓設備１６の点検システムとして、上下に分離配置されたホース収納部２６とバルブ類収納装置２８の間、および防災受信盤１０が配置された監視センターとの間で、消火栓設備１６の点検作業を行う点検員が相互に連絡を取り合うために使用する非常電話設備が設けられている。
【００４３】
本実施形態の非常電話設備は、デジタル電話設備として知られたＶｏＩＰ電話設備（ボイス・オーバー・インターネット・プロトコル電話設備）が設置される。
【００４４】
本実施形態のＶｏＩＰ電話設備は、消火栓設備１６の監視員通路１４側に設置されたホース収納部２６側に電話ジャック（第１電話ジャック）６０が配置され、ゲートウェイ装置５６を介して伝送路３０に接続され、また、管理用通路２０側に配置されたバルブ類収納装置２８側に電話ジャック（第２電話ジャック）６２が配置され、ゲートウェイ装置５８を介して伝送路３０に接続されている。
【００４５】
ホース収納部２６及びバルブ類収納装置２８に設けられた電話ジャック６０，６２に対しては、消火栓設備１６の点検を行う場合、点検員が携帯している図４に示す携帯電話機７０が接続される。
【００４６】
携帯電話機７０は受話部７２、送話部７４及び操作部７６を備え、カールコード７８の先端に電話プラグ８０が接続されており、電話プラグ８０を図３に示した消火栓設備１６側の電話ジャック６０，６２に差し込むことで通話に使用できる。
【００４７】
再び図３を参照するに、監視センターに設置された防災受信盤３２にはセンター側電話機５２が設けられ、ゲートウェイ装置５４を介して伝送路３０に接続されている。また、監視センター側には電話番号管理サーバ５０が配置され、伝送路３０に接続されている。
【００４８】
このように本実施形態のＶｏＩＰ電話設備は、電話番号管理サーバ５０、ゲートウェイ装置５４，５６，５８、携帯電話機７０が接続される電話ジャック６０，６２で構成されており、点検を行う消火栓設備１６の電話ジャック６０，６２の各々に携帯電話機７０を接続した状態で、電話ジャック６０，６２の各々に接続された携帯電話機７０及び防災受信盤３２のセンター側電話機５２との間で、２者間通話或いは３者間以上の通話を行うことを可能としている。
【００４９】
（２者間通話）
ＶｏＩＰ電話設備による通話制御は、相手電話機を呼出す呼出し制御と、音声データの送受信制御で構成される。
【００５０】
例えば電話ジャック６０，６２の各々に、点検員Ａと点検員Ｂが携帯電話機７０を接続した場合を例にとって通話制御を説明すると次のようになる。なお、点検員Ａ，Ｂが使用する携帯電話機を７０Ａ，７０Ｂとする。
【００５１】
例えば点検員Ａは自己の携帯電話機７０Ａにより相手先となる点検員Ｂの携帯電話機７０Ｂの電話番号をダイヤルする。携帯電話機７０Ａからのダイヤル信号を受けたゲートウェイ装置５６は電話番号管理サーバ５０に相手先のＩＰアドレスを問い合わせる。
【００５２】
電話番号管理サーバ５０はゲートウェイ装置６０からの問い合わせて対し相手先となるゲートウェイ装置６２のＩＰアドレスを回答する。電話番号管理サーバ５０からＩＰアドレスの回答を受けたゲートウェイ装置６０は、回答として受けたＩＰアドレスを宛先として呼出信号を送信する。この呼出信号はゲートウェイ装置６２で受信され、点検員Ｂの携帯電話機７０Ｂの呼出しが始まる。呼出しを受けた点検員Ｂは携帯電話機７０Ｂのフックアップ操作を行うことで呼出しが完了し、通話接続状態となる。
【００５３】
このようなＶｏＩＰ電話設備による呼出制御の例としては、マルチメディア会議用として開発されたＳＩＰ（セッション・イニシエーション・プロトコル）やＬＡＮ内のデータ端末間通信用に開発されたＨ．３２３等が使用される。
【００５４】
点検員Ａ，Ｂが各々の携帯電話機７０Ａ，７０Ｂを用いて通話を行うと、例えば携帯電話機７０Ａからの音声信号はゲートウェイ装置６０で圧縮符号化された後にＩＰパケットに変換され、伝送路３０に送信される。携帯電話機７０Ｂ側のゲートウェイ装置６２は伝送路３０から自分宛のＩＰパケットを受けて音声信号に戻し、携帯電話機７０Ｂから音声を出力させ、点検員Ｂはこれを聞くことができる。
【００５５】
（３者間以上の通話）
ＶｏＩＰ電話設備の３者間以上の通話は、点検員Ａ，Ｂの携帯電話機７０Ａ，７０Ｂの通話中に、例えば、点検員Ａが携帯電話機７０Ａからセンター側電話機５２の電話番号をダイヤルして呼び出すことで、携帯電話機７０Ａ，７０Ｂ及びセンター側電話機５２による３者間以上の通話を行うことができる。
【００５６】
また、別の３者間以上の通話として、多数者通話を行う特定の電話番号を定めて置き、この電話番号にダイヤルして通話接続することで、同じ電話番号にダイヤルした複数の電話機の間での通話接続を可能とする。この３者間以上の通話は所謂会議電話機能を利用したものである。
【００５７】
（点検システムのメリット）
このように消火栓設備１６の分離配置されたホース収納部２６とバルブ類収納装置２８に設けられている電話ジャック６０，６２の各々に携帯電話機７０を接続して呼出し操作を行うことで、上下に分離配置された消火栓設備の間の通話接続が確立され、相互に連絡を取りながら所定の手順に従って効率良く点検作業を進めることができる。
【００５８】
更に、防災受信盤３２に設けられているセンター側電話機５２を加えた３者通話が確立されることで、上下に分離された消火栓設備１６の点検場所と監視センター側との間で連絡を取り合いながら、適切に消火栓設備の点検作業を進めることができる。
【００５９】
［ゲートウェイ機能を備えて携帯電話機を用いる点検システム］
図５はゲートウェイ機能を備えた携帯電話機が使用される消火栓設備に対する点検システムの概要を示した説明図である。
【００６０】
図５に示すように、本実施形態の点検システムに設けられたＶｏＩＰ電話設備は、消火栓設備１６の監視員通路１４側に設置されたホース収納部２６側に電話ジャック（第１電話ジャック）６０が配置され、伝送路３０を例えば光ファイバー伝送路としていることから、光変換器８４を介して伝送路３０に接続される。また、管理用通路２０側に配置されたバルブ類収納装置２８側に電話ジャック（第２電話ジャック）６２が配置され、同様に、光変換器８６を介して伝送路３０に接続されている。
【００６１】
電話ジャック６０，６２に対しては、ゲートウェイ機能８２を備えた携帯電話機７０が点検の際に接続される。このように携帯電話機７０にゲートウェイ機能が設けられているため、図３に示したように消火栓設備の分離部分の各々にゲートウェイ装置６０，６２を設ける必要がなくなり、ＶｏＩＰ電話設備の設備構成が簡単となり、設備コストを大幅に低減することができる。
【００６２】
［消火栓設備の点検］
消火栓設備１６を点検する場合には、監視員通路１４側から点検対象とする消火栓設備１６のホース収納部２６に点検員が１人つき、また管理用通路２０の点検対象とする消火栓設備１６のバルブ類収納装置２８に別の点検員がつき、それぞれ電話ジャック６０，６２に携帯電話機７０を接続し、何れか一方のダイヤル操作により他方を呼出して通話状態とし、互いに連絡を取りながら点検作業を進める。
【００６３】
この点検作業は、例えば、管理用通路２０のバルブ類収納装置２８の扉を開き、装置内に配置されているメンテナンス装置に放水試験用の試験治具を装着し、準備が整ったならば、ホース収納部２６側の点検員に連絡して起動押釦を操作させ、これにより遠隔消火栓弁を開放させ、メンテナンス装置に装着した試験治具から放水させ、ホース収納部２６側の点検員は放水圧力が基準を満たしているかを確認する放水点検を行う。
【００６４】
調圧の微調整が必要な場合は、床版下のバルブ類収納装置２８に収納された自動調圧弁のニードルを操作して調圧する。その際に、電話で応答する必要がある。
【００６５】
また、ホース収納部２６側の点検員は点検終了時に消火栓レバーを復旧するが、その際、バルブ類収納装置２８側の点検員は正常に自動排水されることを確認する。
その際に、電話応答する必要がある。
【００６６】
また、ホース収納部２６側の点検員は、ホース収納部２６を監視員通路１４上に露出させ、この状態で必要な点検を行う。更に、バルブ類収納装置２８側の点検員も装置に内蔵されているバルブ類の点検作業を行う。
【００６７】
一方、点検時に異常が生じた際には、監視員通路１４側と床版下部の管理用通路２０側で応答しながら各機器の状態を確認する。その際に、電話応答する必要がある。
【００６８】
このような監視員通路１４及び管理用通路２０における分離配置された消火栓設備１６の点検作業により、道路１５側に消火栓扉を開く必要や、道路側から操作する必要もないため、消火栓設備の点検で車両の通行に対し車線規制等の交通規制を行う必要がなく、交通規制しなくとも安全に点検作業ができる。
【００６９】
また、消火栓の点検を行う場合、ホース収納部２６側の点検員がノズルを取り出して、消火栓レバーを操作した際に、防災受信盤３２側の点検員は、消火栓の動作を示す表示灯が正常に点滅することを確認する。点灯から点滅への切替有無を確認する際に、ホース収納部２６側の点検員と防災受信盤３２側の点検員で電話応答する必要がある。
【００７０】
一方、ホース収納部２６への通水を遮断して、バルブ類収納装置２８だけでテスト放水等によって点検する場合、バルブ類収納装置２８側の点検員と防災受信盤３２側の点検員で応答しながら各機器の状態を確認する。その際に、電話応答する必要がある。
【００７１】
［本発明の変形例］
上記の実施形態は、監視員通路側にホース収納部を分離配置しているが、床板を挟んで第1電話ジャックと第2電話ジャックを構成するならば、ホース収納部と一体に消火器収納部と給水栓収納部を配置するようにしても良い。
【００７２】
また、図２及び図３に示すように伝送路は監視員通路側と管理用通路間で迂回せずに直接接続される方が、上下の消火栓装置を対応させる点において簡単である。しかし、伝送路を消火栓設備毎に床板と交差させる構成は施工上の手間となる虞がある。そのため、伝送路を適切な場所で分離し、監視員通路側の幹線と管理用通路側の幹線により構成し、各幹線に対し電話ジャックより伝送路を接続する構成も考えられる。このような伝送路の構成においても、ＶｏＩＰ電話設備による音声長距離伝送を可能にしていることから、床板を挟んだ消火栓設備において「電話ジャック１〜幹線接合部」及び「幹線接合部〜電話ジャック２」間の距離があっても通話が可能となる。
【００７３】
また、消火栓設備の第１電話ジャック、第２電話ジャックのいずれかに携帯電話機が接続されたことを、防災受信盤による接続の表示として報知するようにしても良い。これにより消火栓設備側で携帯電話機のジャック接続を、防災受信盤側での接続の表示により簡単に確認可能とする。
【００７４】
また、トンネル長手方向に沿って所定間隔で設置された複数の消火栓設備におけるホース収納部側の第１電話ジャック又はバルブ類収納部側の第２電話ジャックのいずれかへの携帯電話機の接続をセンター側電話機と接続するゲートウェイ装置が監視し、監視結果をホース収納部または及びバルブ類収納部にて通知する消火栓設備における接続の表示とするようにしても良い。これにより消火栓設備における携帯電話機のジャック接続が正常に行われているか否かを接続表示の有無により簡単に確認可能とする。
【００７５】
また、消火栓設備は分離されたホース収納部とバルブ類収納部において、互いに呼出しやすくするよう短縮ボタンや専用の呼出スイッチを設けるようにしても良い。また、受信盤への呼出についても同様に短縮ボタンや専用の呼出スイッチを設けるようにしても良い。上記のような簡易の呼出を可能とすることで、点検で互いに連絡を取る頻度の高い場所同士での通話が簡単に行えるようになる。
【００７６】
また、防災受信盤側での接続の表示は、リストによる表示としても良い。また、消火栓設備は分離されたホース収納部とバルブ類収納部において、接続の表示は互いに対応する機器の接続表示のみとしても良い。これは接続表示灯という形にしても良い。上記のように互いに対応する機器の接続表示のみとすることで、限られた空間のうち、点検で互いに連絡を取る頻度の高い場所同士で通話可能か確認することができるようになる。
【００７７】
また、上記の実施形態で示した消火栓設備のホース類や消火栓弁等のバルブ類、通報装置の構成及び配置、その他の構成については任意であり、適宜の構成を採用して良い。
【００７８】
また、本発明は、その目的と利点を損なうことのない適宜の変形を含み、更に、上記の実施形態に示した数値による限定は受けない。
【符号の説明】
【００７９】
１０：トンネル
１２：トンネル壁面
１４：監視員通路
１５：道路
１６：消火栓設備
１８：床版
２０：管理用通路
２２：ダクト
２４：給水本管
２６：ホース収納部
２８：バルブ類収納装置
３０：伝送路
３２：防災受信盤
５０：電話番号管理サーバ
５２：センター側電話機
５４，５６，５８：ゲートウェイ装置
６０，６２：電話ジャック
６４：子扉
７０：携帯電話機
８０：電話プラグ
８２：ゲートウェイ機能
８４，８６：光変換器
【図１】
2018017066.tif 000003
【図２】
2018017066.tif 000004
【図３】
2018017066.tif 000005
【図４】
2018017066.tif 000006
【図５】
2018017066.tif 000007